(57)【特許請求の範囲】
【請求項１】
円盤状のフィルターを内蔵する濾過乾燥槽で濾過及び乾燥された乾燥ケーキを機外に排出するための濾過乾燥吸引排出装置であって、前記濾過乾燥槽の中心部に縦設されたノズルシャフトと、該ノズルシャフトに取り付けられていて、前記フィルターの上面と一定のクリアランスを保ちながら水平回転する回転翼と、該回転翼の下面側に開口する吸引口と、該吸引口から回転翼内及び前記ノズルシャフトを介して機外の負圧回収槽に連通された吸引路とを備えていることを特徴とする濾過乾燥吸引排出装置。
【請求項２】
吸引口がスリット状をなしていてそのスリット幅が回転翼の先端側に至るに従って幅広となっていることを特徴とする請求項１記載の濾過乾燥吸引排出装置。
【請求項３】
前記ノズルシャフトの上端部側方に、固気混合比調節用スリットが設けられている、請求項１又は２に記載の濾過乾燥吸引排出装置。
【発明の詳細な説明】
【０００１】
【発明の属する技術分野】
本発明は、濾過槽で濾過されたケーキを該濾過槽内で乾燥する濾過乾燥装置において該乾燥ケーキを排出するための装置に係り、特に乾燥ケーキを吸引排出するようにした濾過乾燥吸引排出装置に関する。
【０００２】
【従来の技術】
濾過槽で濾過されたケーキを該濾過槽内で乾燥する濾過乾燥装置があり、濾過ケーキとしては槽の上部から水分を含んだスラリーを投入して濾過乾燥する用途に用いられるものや濾過槽上部から供給された触媒で所定の処理をした後該触媒を乾燥して回収する場合等、各種の形式で用いられる。濾過乾燥槽内にはケーキの乾燥を促進するための回転翼が設けられていてケーキを攪拌しながら乾燥させるようにしたものが多い。
【０００３】
乾燥ケーキを排出するには、従来の装置では槽の上部のマンホール等を開けて人力で掻き出したり吸引ホースで吸引して排出する必要があった。また、槽を反転させて取り出す方法ではその都度配管等を取り外す必要がある。
そこで、従来より提案されているものとしては、該回転翼により乾燥ケーキを掻き崩しながら槽の中央部の排出口に掻き集めるようにしたもの（例えば、特公昭５７−５２８４７号公報、特開昭６１−２１７０８号公報等）や、回転翼により円周方向に押し集めて槽の外周部の排出口から排出するもの（例えば、実開平５−６７３０４号公報、特開平８−１５５２１６号公報、特許第２６８８８３６号公報等）がある。また、フィルターを帯状に形成して槽外周部の取出し口方向に移動させるようにしたものも提案されている（特開平１１−５７３２７号公報）。
【０００４】
【発明が解決しようとする課題】
しかし、従来の提案のように、乾燥ケーキを回転翼で槽の中央部又は槽の外周部の取出し口方向に集める形式ではフィルター面と回転翼とのクリアランスに存在するケーキを排出することができない、という欠点がある。また、フィルターを移動させる形式では槽自体のシール性に問題がある。
【０００５】
本発明の目的は、上述のような従来の乾燥ケーキ排出手段の欠点を解消し、フィルター面と回転翼とのクリアランスに堆積するケーキまで完全に排出することができる濾過乾燥吸引排出装置を提供することにある。
【０００６】
【課題を解決するための手段】
本発明の濾過乾燥吸引排出装置は、請求項１記載のものにおいては、円盤状のフィルターを内蔵する濾過乾燥槽で濾過及び乾燥された乾燥ケーキを機外に排出するための濾過乾燥吸引排出装置であって、前記濾過乾燥槽の中心部に縦設されたノズルシャフトと、該ノズルシャフトに取り付けられていて、前記フィルターの上面と一定のクリアランスを保ちながら水平回転する回転翼と、該回転翼の下面側に開口する吸引口と、該吸引口から回転翼内及び前記ノズルシャフトを介して機外の回収槽に連通された吸引路とを備えていることを特徴とする。
【０００７】
これにより、乾燥ケーキの排出に際して回転翼が回転すると乾燥ケーキが掻き崩されると共に該乾燥ケーキは回転翼の下面側に形成した吸引口から機外の負圧回収槽に連通する吸引路を介して吸引排出され、特にフィルター面と回転翼とのクリアランスに存在するケーキをも吸引して排出することができる。
【０００８】
請求項２記載のものにおいては、吸引口がスリット状をなしていてそのスリット幅が回転翼の先端側に至るに従って幅広となっていることを特徴とする。
【０００９】
回転翼下面の吸引口であるスリットの幅を回転翼の基部側から先端部側まで同一幅にするとその吸引力が先端部側では弱くなるが、スリット幅が回転翼の先端側に至るに従って幅広となっているから、吸引力を均等化することができ、乾燥ケーキの吸引作用を充分に発揮させることができる。
【００１０】
【発明の実施の形態】
本発明の濾過乾燥吸引排出装置の一実施例を図１〜図６に基づいて説明する。図１は、濾過乾燥槽の正面図、図２は図１において波線楕円Ｂ部として示す位置に配置される回転翼の断面図、図３は図２におけるＣ−Ｃ線断面図、図４は回転翼の断面を示す図２におけるＤ−Ｄ線断面図、図５は回転翼に形成されるスリット状の吸引口の形状を図４におけるＦ方向から見た図、図６は図１において波線楕円Ａ部として示す位置に配置される回転軸部の要部の断面図である。
【００１１】
本発明に係る濾過乾燥吸引排出装置は、円盤状のフィルター８を内蔵する濾過乾燥槽１で濾過及び乾燥された乾燥ケーキを機外に排出するための濾過乾燥吸引排出装置であって、前記濾過乾燥槽１の中心部に縦設されたノズルシャフト４と、該ノズルシャフトに取り付けられていて、前記フィルター８の上面と一定のクリアランスを保ちながら水平回転する回転翼５と、該回転翼の下面側に開口する吸引口６と、該吸引口６から回転翼内及び前記ノズルシャフト４を介して機外の負圧回収槽に連通された吸引路７とを備えていることを特徴とする。
【００１２】
以下具体的な構成を説明する。
図１に示すように、濾過乾燥槽１は上部本体２と下部本体３とからなり、槽の上部から触媒を供給して所定の処理をした後、該触媒を乾燥して回収するためのものである。フィルター８は前記上部本体２と下部本体３との接合部に配置され、該フィルターで濾過された濾液は下部本体３に接続された排出管９から排出される。
【００１３】
図６に示すように、前記ノズルシャフト４は、モーター１４により、駆動ベルト１５、減速機１３を介して駆動される駆動シャフト１２で回転駆動される。駆動シャフト１２は濾過乾燥槽１の上端から湾曲して突出する導出管２０内を通り、該駆動シャフト１２の下端部が前記ノズルシャフト４の上端内部に３点支持部材１８、１８で固定されている。また、駆動シャフト１２は前記導出管２０の下端部において該導出管内部に３点支持される軸受け１７で支持されており、従って、ノズルシャフト４の内部は導出管２０に連通している。
【００１４】
回転するノズルシャフト４と導出管２０との間隙は導出管２０の下端に取り付けられた外筒２５により遮蔽されている。乾燥ケーキの吸引排出のための気体はノズル２７から導入され、一部がノズルシャフト４の上端部測方に設けた固気混合比調節用スリット２６から流入する。なお、気体はケーキの性状により不活性ガスを用いることもできる。
【００１５】
前記回転翼５は回転進行方向側が鋭角となるようにした断面略三角形状をなしており、しかも先端部に至るに従って細くなるように形成され、図４に示すように、回転進行方向側の隅角部の下面側にスリット状の吸引口６が形成されている。そして、そのスリット幅は回転翼５の基端部側から先端部側に至るに従って幅広になるように形成されている。なお、６ａは補強リブである。この回転翌５はその内部が前記ノズルシャフト４の内部に連通するように取り付けられ、従って、吸引口６から、回転翌５の内部、ノズルシャフト４の内部及び導出管２０が連通していて吸引路７が形成されている。前記導出管２０は機外に設置した負圧回収槽（図示しない）に連通しており、吸引口６から吸引された乾燥ケーキが吸引路７を介して負圧回収槽に回収されるようになっている。なお、図３〜図５において、６ａは補強リブを示している。
【００１６】
図２に示すように、前記フィルター８は濾過乾燥槽１における下部本体３の開口面側に設置したメッシュプレート２２上に載置され、交換可能になっている。図２において、２３は前記ノズルシャフト４の下端を支持するセンターピン、２４はガスケットを示す。
【００１７】
前記のような構成において、乾燥ケーキ（実施例においては乾燥触媒）の排出に際し、モーター１４により駆動シャフト１２を介してノズルシャフト４が回転することにより回転翼５が回転すると乾燥ケーキが掻き崩されると共に該乾燥ケーキは回転翼５の下面側に形成した吸引口６から、回転翌５内、ノズルシャフト４内及び導出管２０に至る吸引路７を介して、機外の負圧回収槽に吸引排出することができ、特にフィルター８と回転翼５とのクリアランスに存在するケーキをも吸引して排出することができる。
【００１８】
しかも、吸引口６がスリット状をなしていてそのスリット幅が回転翼５の先端側に至るに従って幅広となっているから、吸引力を均等化することができ、乾燥ケーキをむらなく吸引排出することができる。
【００１９】
【発明の効果】
本発明の濾過乾燥吸引排出装置によれば、乾燥ケーキの排出に際して回転翼を回転させると乾燥ケーキを掻き崩しながら、回転翼の下面側に形成した吸引口から機外の負圧回収槽に連通する吸引路を介して吸引排出することができ、特にフィルター面と回転翼とのクリアランスに存在するケーキをも吸引して排出することができる。
【００２０】
また、請求項２記載のものにおいては、吸引口がスリット状をなしていてそのスリット幅が回転翼の先端側に至るに従って幅広となっているから、回転翼全体の吸引力を均等化することができる。
【図面の簡単な説明】
【図１】本発明の濾過乾燥吸引排出装置の実施例を示す濾過乾燥槽の正面図。
【図２】図１において波線楕円Ｂ部として示す位置に配置される回転翼の断面図。
【図３】図２におけるＣ−Ｃ線断面図。
【図４】回転翼の断面を示す図２におけるＤ−Ｄ線断面図。
【図５】回転翼に形成されるスリット状の吸引口の形状を示し、図４におけるＦ方向から見た図。
【図６】図１において波線楕円Ａ部として示す位置に配置される回転軸部の要部の断面図。
【符号の説明】
１      濾過乾燥槽
２      上部本体
３      下部本体
４      ノズルシャフト
５      回転翼
６      吸引口
７      吸引路
８      フィルター
【図１】
0004453137.tif 000002
【図２】
0004453137.tif 000003
【図３】
0004453137.tif 000004
【図４】
0004453137.tif 000005
【図５】
0004453137.tif 000006
【図６】
0004453137.tif 000007